(57)【要約】      （修正有）【課題】ユーザが携帯するワイヤレスデバイスを使用して、他のワイヤレスデバイスから音声出力する場合に、ユーザの位置に応じて、好適な音量で音声を出力する。【解決手段】所定の通信方式で無線通信可能に構成されている、少なくとも２つのデバイスを含む音声出力システムが音声を出力する方法あって、２つのデバイスの一方のデバイスのスピーカから音声を出力する工程と、一方のデバイスと他方のデバイス間の距離を検出する工程と、検出する工程で検出された距離に応じて、一方のスピーカから出力される音声の音量を調整する工程と、を含む。調整する工程では、検出された距離が閾値より小さい場合は、検出された距離が大きいほど一方のデバイスのスピーカから出力される音声の音量を大きくし、検出された距離が閾値以上となった場合は、一方のスピーカからの音声の出力を停止させる。【選択図】図３
2018139384.tif 000002
【特許請求の範囲】
【請求項１】
所定の通信方式で無線通信可能に構成されている、少なくとも２つのデバイスを含む音声出力システムが音声を出力する方法あって、
前記２つのデバイスの一方のデバイスのスピーカから音声を出力する工程と、
前記一方のデバイスと前記他方のデバイス間の距離を検出する工程と、
前記検出する工程で検出された距離に応じて、前記一方のスピーカから出力される音声の音量を調整する工程と、
を含み、
前記調整する工程では、
前記検出された距離が閾値より小さい場合は、前記検出された距離が大きいほど前記一方のデバイスのスピーカから出力される音声の音量を大きくし、
前記検出された距離が閾値以上となった場合は、前記一方のスピーカからの音声の出力を停止させることを特徴とする音声を出力する方法。
【請求項２】
前記調整する工程で、前記一方のデバイスのスピーカからの音声の出力を停止させた場合に、前記他方のデバイスが自己のスピーカから音声を出力する工程を含む請求項１に記載の音声を出力する方法。
【請求項３】
前記調整する工程で、前記一方のデバイスのスピーカからの音声の出力を停止させた場合に、前記他方のデバイスが近くにある無線通信可能な他のデバイスのスピーカから音声を出力させる工程を含む請求項１に記載の音声を出力する方法。
【請求項４】
前記音声を出力する工程で、前記他方のデバイスが前記一方のデバイスに音声信号を送信する工程を含む請求項１〜請求項３のいずれか１つに記載の音声を出力する方法。
【請求項５】
前記他方のデバイスが自己のスピーカから音声を出力する工程で、前記一方のデバイスが前記他方のデバイスに音声信号を送信する工程を含む請求項２に記載の音声を出力する方法。
【請求項６】
前記他方のデバイスが近くにある無線通信可能な他のデバイスのスピーカから音声を出力させる工程で、前記一方のデバイスが前記他方のデバイスに音声信号を送信する工程を含む請求項３に記載の音声を出力する方法。
【請求項７】
前記閾値は、ユーザ操作に応答して設定可能としたことを特徴とする請求項１〜請求項６のいずれか１つに記載の音声を出力する方法。
【請求項８】
前記所定の通信方式は、Ｂｌｕｅｔｏｏｔｈ（登録商標）であり、前記検出する工程では、電波強度を測定して、前記一方のデバイスと前記他方のデバイス間の距離を検出することを特徴とする請求項１〜請求項７のいずれか１つに記載の音声を出力する方法。
【請求項９】
所定の通信方式でワイヤレススピーカと通信可能に構成されたワイヤレスデバイスであって、
接続されているワイヤレススピーカから音声を出力させる音声出力手段と、
前記接続されているワイヤレススピーカとの距離を検出する距離検出手段と、
前記距離検出手段で検出された距離に応じて、前記スピーカから出力される音声の音量を調整する調整手段と、
を備え、
前記調整手段は、
前記検出された距離が閾値より小さい場合は、前記検出された距離が大きいほど前記音声の音量を大きくし、
前記検出された距離が閾値以上となった場合は、前記ワイヤレススピーカのスピーカからの音声の出力を停止させることを特徴とするワイヤレスデバイス。
【請求項１０】
前記調整手段が前記ワイヤレススピーカのスピーカからの音声の出力を停止させた場合に、自己のスピーカから音声を出力する切替手段を備えたことを特徴とする請求項９に記載のワイヤレスデバイス。
【請求項１１】
前記調整手段が前記ワイヤレススピーカのスピーカからの音声信号の出力を停止させた場合に、近くにある他のワイヤレススピーカから音声信号を出力させる切替手段を備えたことを特徴とする請求項９に記載のワイヤレスデバイス。
【請求項１２】
前記音声出力手段が、前記ワイヤレススピーカに音声信号を送信する手段を含む請求項９〜請求項１１いずれか１つに記載のワイヤレスデバイス。
【請求項１３】
前記閾値は、ユーザ操作に応答して設定可能としたことを特徴とする請求項９〜請求項１２のいずれか１つに記載のワイヤレスデバイス。
【請求項１４】
前記所定の通信方式は、Ｂｌｕｅｔｏｏｔｈ（登録商標）であり、前記距離検出手段は、電波強度を測定して、前記ワイヤレスデバイスと前記ワイヤレススピーカ間の距離を検出することを特徴とする請求項９〜請求項１３のいずれか１つに記載のワイヤレスデバイス。
【請求項１５】
所定の通信方式でワイヤレスデバイスと通信可能に構成されたワイヤレススピーカであって、
接続されているワイヤレスデバイスから受信した音声信号に基づいてスピーカから音声を出力する音声出力手段と、
前記接続されているワイヤレスデバイスとの距離を検出する距離検出手段と、
前記距離検出手段で検出された距離に応じて、前記スピーカから出力される音声の音量を調整する調整手段と、
を備え、
前記調整手段は、前記検出された距離が閾値より小さい場合は、前記検出された距離が大きいほど前記スピーカから出力される音声の音量を大きくし、
前記検出された距離が閾値以上となった場合は、前記スピーカからの音声の出力を停止することを特徴とするワイヤレススピーカ。
【請求項１６】
所定の通信方式でワイヤレススピーカと通信可能に構成されたワイヤレスデバイスに搭載されるプログラムであって、
接続されているワイヤレススピーカから音声を出力させる工程と、
前記接続されているワイヤレススピーカとの距離を検出する工程と、
前記検出する工程で検出された距離に応じて、前記スピーカから出力される音声号の音量を調整する工程と、
をコンピュータに実行させ、
前記調整する工程では、
前記検出された距離が閾値より小さい場合は、前記検出された距離が大きいほど前記スピーカから出力される音声の音量を大きくし、
前記検出された距離が閾値以上となった場合は、前記スピーカからの音声の出力を停止させることを特徴とするコンピュータが実行可能なプログラム。
【発明の詳細な説明】
【技術分野】
【０００１】
本発明は、音声を出力する方法、ワイヤレスデバイス、ワイヤレススピーカ、及びコンピュータが実行可能なプログラムに関する。
【背景技術】
【０００２】
近時、例えば、スマートフォン、ノートＰＣ、タブレット、ウェアラブルデバイス、ワイヤレススピーカ、及び（Ｗｅｂ）ＴＶ等の各種のワイヤレスデバイスが普及している。例えば、ユーザが携帯（例えば、胸ポケットに入れている場合や手首に装着している場合等）しているワイヤレスデバイス（例えば、スマートフォンやウェアラブルデバイス）の再生アプリを使用して音声（例えば、Ｍｕｓｉｃ等）を聞く場合に、高音質や高出力のワイヤレススピーカ（例えば、ワイヤレススピーカデバイスやタブレット）に音声信号をワイヤレス転送してそのスピーカから音声を出力させて聞く場合が多い。
【０００３】
この場合に、ユーザが移動して、音声出力しているワイヤレススピーカとの距離が変化してもワイヤレススピーカから出力される音声の音量は同じ大きさであるため、ユーザの位置によっては音声を聞きにくい場合がある。例えば、ユーザがワイヤレススピーカから離れた場合には、音量が小さすぎる場合がある。他方、例えば、ユーザが別の部屋に移動する場合等のように、ユーザがワイヤレススピーカからかなり離れた場合は、ユーザはワイヤレススピーカからの音声を聞くことを望んでいない場合が多く、他人に取ってはワイヤレススピーカから出力される音声は迷惑となる場合が多い。
【先行技術文献】
【特許文献】
【０００４】
【特許文献１】特開２０１４−１４７０９０
【発明の概要】
【発明が解決しようとする課題】
【０００５】
本発明は、上記に鑑みてなされたものであり、ユーザが携帯するワイヤレスデバイスを使用して、他のワイヤレスデバイスから音声出力する場合に、ユーザの位置に応じて、好適な音量で音声を出力することが可能な、音声を出力する方法、ワイヤレスデバイス、ワイヤレススピーカ、及びコンピュータが実行可能なプログラムを提供することを目的とする。
【課題を解決するための手段】
【０００６】
上述した課題を解決し、目的を達成するために、本発明は、所定の通信方式で無線通信可能に構成されている、少なくとも２つのデバイスを含む音声出力システムが音声を出力する方法あって、前記２つのデバイスの一方のデバイスのスピーカから音声を出力する工程と、前記一方のデバイスと前記他方のデバイス間の距離を検出する工程と、前記検出する工程で検出された距離に応じて、前記一方のスピーカから出力される音声の音量を調整する工程と、を含み、前記調整する工程では、前記検出された距離が閾値より小さい場合は、前記検出された距離が大きいほど前記一方のデバイスのスピーカから出力される音声の音量を大きくし、前記検出された距離が閾値以上となった場合は、前記一方のスピーカからの音声の出力を停止させることを特徴とする。
【０００７】
また、本発明の好ましい態様によれば、前記調整する工程で、前記一方のデバイスのスピーカからの音声の出力を停止させた場合に、前記他方のデバイスが自己のスピーカから音声を出力する工程を含むことが望ましい。
【０００８】
また、本発明の好ましい態様によれば、前記調整する工程で、前記一方のデバイスのスピーカからの音声の出力を停止させた場合に、前記他方のデバイスが近くにある無線通信可能な他のデバイスのスピーカから音声を出力させる工程を含むことが望ましい。
【０００９】
また、本発明の好ましい態様によれば、前記音声を出力する工程で、前記他方のデバイスが前記一方のデバイスに音声信号を送信する工程を含むことが望ましい。
【００１０】
また、本発明の好ましい態様によれば、前記他方のデバイスが自己のスピーカから音声を出力する工程で、前記一方のデバイスが前記他方のデバイスに音声信号を送信する工程を含むことが望ましい。
【００１１】
また、本発明の好ましい態様によれば、前記他方のデバイスが近くにある無線通信可能な他のデバイスのスピーカから音声を出力させる工程で、前記一方のデバイスが前記他方のデバイスに音声信号を送信する工程を含むことが望ましい。
【００１２】
また、本発明の好ましい態様によれば、前記閾値は、ユーザ操作に応答して設定可能としたことが望ましい。
【００１３】
また、本発明の好ましい態様によれば、前記所定の通信方式は、Ｂｌｕｅｔｏｏｔｈ（登録商標）であり、前記検出する工程では、電波強度を測定して、前記一方のデバイスと前記他方のデバイス間の距離を検出することが望ましい。
【００１４】
また、上述した課題を解決し、目的を達成するために、本発明は、所定の通信方式でワイヤレススピーカと通信可能に構成されたワイヤレスデバイスであって、接続されているワイヤレススピーカから音声を出力させる音声出力手段と、前記接続されているワイヤレススピーカとの距離を検出する距離検出手段と、前記距離検出手段で検出された距離に応じて、前記スピーカから出力される音声の音量を調整する調整手段と、を備え、前記調整手段は、前記検出された距離が閾値より小さい場合は、前記検出された距離が大きいほど前記音声の音量を大きくし、前記検出された距離が閾値以上となった場合は、前記ワイヤレススピーカのスピーカからの音声の出力を停止させることを特徴とするワイヤレスデバイス。
【００１５】
また、本発明の好ましい態様によれば、前記調整手段が前記ワイヤレススピーカのスピーカからの音声の出力を停止させた場合に、自己のスピーカから音声を出力する切替手段を備えることが望ましい。
【００１６】
また、本発明の好ましい態様によれば、前記調整手段が前記ワイヤレススピーカのスピーカからの音声信号の出力を停止させた場合に、近くにある他のワイヤレススピーカから音声信号を出力させる切替手段を備えることが望ましい。
【００１７】
また、本発明の好ましい態様によれば、前記音声出力手段が、前記ワイヤレススピーカに音声信号を送信する手段を含むことが望ましい。
【００１８】
また、本発明の好ましい態様によれば、前記閾値は、ユーザ操作に応答して設定可能としたことが望ましい。
【００１９】
また、本発明の好ましい態様によれば、前記所定の通信方式は、Ｂｌｕｅｔｏｏｔｈ（登録商標）であり、前記距離検出手段は、電波強度を測定して、前記ワイヤレスデバイスと前記ワイヤレススピーカ間の距離を検出することが望ましい。
【００２０】
また、上述した課題を解決し、目的を達成するために、本発明は、所定の通信方式でワイヤレスデバイスと通信可能に構成されたワイヤレススピーカであって、接続されているワイヤレスデバイスから受信した音声信号に基づいてスピーカから音声を出力する音声出力手段と、前記接続されているワイヤレスデバイスとの距離を検出する距離検出手段と、前記距離検出手段で検出された距離に応じて、前記スピーカから出力される音声の音量を調整する調整手段と、を備え、前記調整手段は、前記検出された距離が閾値より小さい場合は、前記検出された距離が大きいほど前記スピーカから出力される音声の音量を大きくし、前記検出された距離が閾値以上となった場合は、前記スピーカからの音声の出力を停止することを特徴とする。
【００２１】
また、上述した課題を解決し、目的を達成するために、本発明は、所定の通信方式でワイヤレススピーカと通信可能に構成されたワイヤレスデバイスに搭載されるプログラムであって、接続されているワイヤレススピーカから音声を出力させる工程と、前記接続されているワイヤレススピーカとの距離を検出する工程と、前記検出する工程で検出された距離に応じて、前記スピーカから出力される音声号の音量を調整する工程と、をコンピュータに実行させ、前記調整する工程では、前記検出された距離が閾値より小さい場合は、前記検出された距離が大きいほど前記スピーカから出力される音声の音量を大きくし、前記検出された距離が閾値以上となった場合は、前記スピーカからの音声の出力を停止させることを特徴とする。
【発明の効果】
【００２２】
本発明によれば、ユーザが携帯するワイヤレスデバイスを使用して、他のワイヤレスデバイスから音声出力する場合に、ユーザの位置に応じて、好適な音量で音声を出力することが可能となる。
【図面の簡単な説明】
【００２３】
【図１】図１は、実施の形態に係る音声出力システムの概念図を示す図である。
【図２】図２は、図１の第１及び第２のワイヤレスデバイスの機能構成例を示す図である。
【図３】図３は、図２の音声出力システムの動作の概略を説明するためのフローチャートである。
【図４】図４は、図２の音声出力システムのユーザの使用例を説明するための説明図である。
【図５】図５は、図１の音声出力システムの他の機能構成例を示す図である。
【図６】図６は、図５の音声出力システムの動作の概略を説明するためのフローチャートである。
【図７】図７は、実施例に係るワイヤレススピーカの概略の外観構成を示す斜視図である。
【図８】図８は、図７のワイヤレススピーカの概略のハードウェア構成例を示す図である。
【図９】図９は、本実施例に係るスマートフォンの外観を示す概略の斜視図である。
【図１０】図１０は、図９のスマートフォンの概略の構成を示すブロック図である。
【図１１】図１１は、スピーカ用アプリの設定画面の一例を説明するための図である。
【図１２】図１２は、スマートフォンがワイヤレススピーカとの距離に応じて、ワイヤレススピーカの音量を調整する処理を説明するためのフローチャートである。
【発明を実施するための形態】
【００２４】
以下、本発明に係る音声を出力する方法、ワイヤレスデバイス、ワイヤレススピーカ、及びコンピュータが実行可能なプログラムの実施の形態について説明する。本発明の構成要素は、本明細書の図面に一般的に示してあるが、様々な構成で広く多様に配置し設計してもよいことは容易に理解できる。従って、本発明の装置、方法、及びプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、又は他の方法、部品、材料でも本発明を実現できることが理解できる。
【００２５】
（実施の形態）
図１は、実施の形態に係る音声出力システムの概念図である。図１に示すように、音声出力システム１は、所定の無線通信方式を使用して互いに無線通信可能に構成されている、第１のワイヤレスデバイス１０と第２のワイヤレスデバイス２０とを備えている。以下では、所定の無線通信方式として、例えば、Ｂｌｕｅｔｏｏｔｈ（登録商標）４．０，４．１，４．２等を使用した場合を一例として説明する。
【００２６】
図１において、第１のワイヤレスデバイス１０は、例えば、携帯や装着が可能なスマートフォン１０Ａ、携帯電話端末１０Ｂ、及びウェアラブル端末（例えば、スマートウオッチ、スマートグラス等）１０Ｃ等の少なくとも音声再生機能を備えたデバイスである。第２のワイヤレスデバイス２０は、例えば、ワイヤレススピーカ２０Ａ、ノートＰＣ２０Ｂ、及びタブレット２０Ｃ等の少なくとも外部に音声出力可能なスピーカを有する音声出力機能を備えたデバイスである。なお、第１のワイヤレスデバイス１０及び第２のワイヤレスデバイス２０は、それぞれ音声再生機能と音声出力機能を備えていてもよい。
【００２７】
第１及び第２のワイヤレスデバイス１０，２０は、Ｂｌｕｅｔｏｏｔｈ（登録商標）４．０，４．１，４．２等を使用して他のＢｌｕｅｔｏｏｔｈ（登録商標）デバイスと無線通信可能に構成されている。また、第１及び第２のワイヤレスデバイス１０，２０は、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）及びＡＶＲＣＰ（Ａｕｄｉｏ  Ｖｉｄｅｏ  Ｒｅｍｏｔｅ  Ｃｏｎｔｒｏｌ  Ｐｒｏｆｉｌｅ）に対応しているものとする。
【００２８】
図２は、図１の第１及び第２のワイヤレスデバイス１０，２０の要部の機能構成例を示す図である。図２では、説明上必要な最小限の構成のみを示している。図２に示すように、第１のワイヤレスデバイス１０は、例えば、ストレージに格納されている又はストリーミングしている音声信号を再生し、ワイヤレス接続されている第２のワイヤレスデバイス２０に音声信号を送信してそのスピーカ２１から音声を出力させる音声再生手段１１と、第１のワイヤレスデバイス１０と第２のワイヤレスデバイス２０間の距離を検出する距離検出手段１２と、距離検出手段１２で検出された、第１のワイヤレスデバイス１０と第２のワイヤレスデバイス２０間の距離に応じて、第２のワイヤレスデバイス２０のスピーカ２１から出力される音量レベルを調整する調整手段１３と、を備えている。
【００２９】
また、第１のワイヤレスデバイス１０は、さらに、音声再生手段１１で再生される音声を自己のスピーカ１５ａから出力する音声出力手段１５を備えていてもよい。
【００３０】
距離検出手段１２は、例えば、第１のワイヤレスデバイス１０と第２のワイヤレスデバイス２０間の距離を公知の方法で検出することができ、例えば、Ｂｌｕｅｔｏｏｔｈ（登録商標）通信において、電波強度（ＲＳＳＩ（Ｒｅｃｅｉｖｅｄ  Ｓｉｇｎａｌ  Ｓｔｒｅｎｇｈ  Ｉｎｄｉｃａｔｉｏｎ）値を測定して、両者間の距離を検出する方法や、測距センサ（例えば、赤外線を使用する方法等）を使用して両者間の距離を検出する方法等を使用することができる。
【００３１】
調整手段１３は、例えば、リモートコントロールで第２のワイヤレスデバイス２０のスピーカ２１ａの音量を調整することができる。調整手段１３は、距離検出手段１２で検出された、第１のワイヤレスデバイス１０と第２のワイヤレスデバイス２０間の距離Ｓが閾値Ｎより小さい場合は、検出された距離Ｓが大きいほど、第２のワイヤレスデバイス２０のスピーカ２１ａから出力される音声の音量を大きくし、検出された距離Ｓが閾値Ｎ以上となった場合は、第２のワイヤレスデバイス２０のスピーカ２１ａからの音声の出力を停止させてもよい。
【００３２】
また、検出された距離Ｓが閾値Ｎ以上となった場合に、音声の出力先を第２のワイヤレスデバイス１０のスピーカ２１ａから自己のスピーカ１５ａに切り替える切替手段１４を備えていてもよい。これにより、再生中の音声は、第２のワイヤレスデバイス２０のスピーカ２１ａからの出力が停止され、自己のスピーカ１５ａから出力され、ユーザは中断することなく音声を聞くことができる。
【００３３】
切替手段１４は、検出された距離Ｓが閾値Ｎ以上となった場合は、音声再生手段１１の音声信号の再生を（一時）停止し、次に、第２のワイヤレスデバイス２０とのワイヤレス接続（ペアリング）をＯＦＦとして、第２のワイヤレスデバイス２０より近くにある他のワイヤレスデバイスとワイヤレス接続して、音声再生手段１１に一時停止した位置から音声信号を再生させ、他のワイヤレスデバイスのスピーカから音声を出力させてもよい。
【００３４】
なお、第２のワイヤレスデバイス２０のスピーカ２１ａからの音声出力が停止された場合に、自己のスピーカ１５ａから音声出力するか、又は、他のワイヤレスデバイスのスピーカから音声出力するかを、ユーザのＵＩ操作に応じて、設定可能な構成としてもよい。
【００３５】
また、調整手段１３は、検出された距離Ｓが閾値Ｎ以上となった場合は、再生手段１１の音声信号の再生を（一時）停止して、第２のワイヤレスデバイス２０のスピーカ２１ａからの音声の出力を停止し、再度、第１のワイヤレスデバイス１０と第２のワイヤレスデバイス２０との距離Ｓが閾値Ｎより小さくなった場合に、再生手段１１の音声信号の再生を再開して、第２のワイヤレスデバイス２０のスピーカからの音声の出力を再開してもよい。なお、再度、距離Ｓが閾値Ｎより小さくなった場合に、第２のワイヤレスデバイス２０のスピーカ２１ａからの音声の出力を再開するか否かをユーザのＵＩ操作に応じて、設定可能な構成としてもよい。
【００３６】
第２のワイヤレスデバイス２０は、図２に示すように、ワイヤレス接続されているワイヤレスデバイスから受信した音声信号に基づく音声をスピーカ２１ａから出力させる音声出力手段２１を備えている。音声出力手段２１は、不図示のボタンや第１のワイヤレスデバイス１０の調整手段１３からの指示に応じて、スピーカ２１ａの音量レベルを設定することにしてもよい。
【００３７】
図３は、図２の音声出力システム１の動作の概略を説明するためのフローチャートである。図３において、第１のワイヤレスデバイス１０は、第２のワイヤレスデバイス２０とワイヤレス接続する（ステップＳ１１、Ｔ１１）。第１のワイヤレスデバイス１０は、音声再生手段１１が音声信号の再生を開始し（ステップＳ１２）、第２のワイヤレスデバイス２０にワイヤレスで音声信号を送信する（ステップＳ１３）。第２のワイヤレスデバイス２０は、音声信号を受信して（ステップＴ１２）、音声出力手段２１は受信した音声信号に基づいて音声をスピーカ２１ａから出力する（ステップＴ１３）。
【００３８】
次に、第１のワイヤレスデバイス１０の距離検出手段１３は、第１のワイヤレスデバイス１０と第２のワイヤレスデバイス２０間の距離Ｓを検出し（ステップＳ１４）、検出した距離Ｓが、閾値Ｎより小さいか否かを判断する（ステップＳ１５）。
【００３９】
検出した距離Ｓが閾値Ｎより小さい場合（０≦Ｓ＜Ｎ）は（ステップＳ１５の「Ｙｅｓ」）、第１のワイヤレスデバイス１０の調整手段１３は、第２のワイヤレスデバイス２０の出力手段２１を介してスピーカ２１ａから出力される音声の音量レベルを距離が大きくなるほど大きく設定する（ステップＳ１６）。ステップＳ１４〜Ｓ１６の処理は、音声が再生されている間、繰り返し実行してもよい。
【００４０】
検出した距離Ｓが閾値Ｎ以上（閾値Ｎ≦Ｓ）の場合は（ステップＳ１５の「Ｎｏ」）、第１のワイヤレスデバイス１０の調整手段１３は、第２のワイヤレスデバイス２０のスピーカ２１ａからの音声の出力を停止させる（ステップＳ１７）。
【００４１】
第２のワイヤレスデバイス２０のスピーカ２１ａからの音声の出力を停止させる方法は、例えば、音声再生手段１１の音声信号の再生を（一時）停止する、スピーカ２１ａから出力される音声の音量レベルをゼロに設定する、第２のワイヤレスデバイス２０とのワイヤレス接続を解除する等がある。
【００４２】
第２のワイヤレスデバイス２０のスピーカ２１ａからの音声の出力を停止させる場合には、切替手段１４は、音声の出力先を第２のワイヤレスデバイス２０から自己のスピーカ１５ａに切り替えてもよいし、第２のワイヤレスデバイス２０とのワイヤレス接続を解除して、第２のワイヤレスデバイス２０よりも近くにある他のワイヤレスデバイスとワイヤレス接続して、当該他のワイヤレスデバイスのスピーカから音声を出力させてもよい（ステップＳ１８）。
【００４３】
図４は、図２の音声出力システム１のユーザの使用例を説明するための説明図である。図４に示す例では、第１のワイヤレスデバイス１０をスマートフォン１０Ａ、第２のワイヤレスデバイス２０をワイヤレススピーカ２０Ａとした場合を一例として示している。ユーザはスマートフォン１０Ａを携帯（所持）しており、ワイヤレススピーカ２０Ａは、テーブル等に置かれているものとする。ユーザがスマートフォン１０Ａを携帯しているので、ユーザとワイヤレススピーカ２０Ａ間の距離は、スマートフォン１０Ａとワイヤレススピーカ２０Ａ間の距離と同視できる。また、ユーザは、スマートフォン１０Ａからワイヤレススピーカ２０Ａのスピーカで音声を再生しているものとする。なお、第２のワイヤレスデバイス２０は、ワイヤレススピーカ２０Ａの替わりにノートＰＣ２０Ｂやタブレット２０Ｃ等としてもよい。
【００４４】
例えば、図４（Ａ）に示すように、ユーザがワイヤレススピーカ２０Ａの近くにいて、スマートフォン１０Ａがワイヤレススピーカ２０Ａと近い距離にある場合は、第２のワイヤレスデバイス２０のスピーカ２１ａの音量レベルを小さくする。ユーザがワイヤレススピーカ２０Ａの近くにいる場合は、小さい音量でも音声が聞こえるため音量レベルをあまり高くしない。
【００４５】
また、図４（Ｂ）に示すように、ユーザがワイヤレススピーカ２０Ａから離れるにつれて、すなわち、スマートフォン１０Ａとワイヤレススピーカ２０Ａの距離が大きくなるに従って、ワイヤレススピーカ２０Ａのスピーカの音量レベルを高くする。ユーザがワイヤレススピーカ２０Ａから離れると、音声が聞こえ難くなるので音量レベルを高くする。
【００４６】
さらに、図４（Ｃ）に示すように、ユーザがワイヤレススピーカ２０Ａからさらに離れて、スマートフォン１０Ａとワイヤレススピーカ２０Ａの距離Ｓが閾値Ｎ以上になると、ワイヤレススピーカ２０Ａのスピーカからの音声出力を停止する。
【００４７】
これは、音量レベルが大きくなりすぎると他人の迷惑となり、また、距離Ｓが閾値Ｎ以上離れると、例えば、ユーザが別の部屋に移動した場合が考えられるため、第２のワイヤレスデバイス２０のスピーカ２１ａからの音声出力を停止している。この閾値Ｎは、上述したように、ユーザが設定可能であり、例えば、自分の部屋の大きさに応じて設定することにしてもよい。例えば、Ｂｌｕｅｔｏｏｔｈ（登録商標）のＣｌａｓｓ２（通信可能距離が１０m程度）を使用する場合は、例えば、閾値を４、５ｍ程度等に設定してもよい。
【００４８】
なお、ワイヤレススピーカ２０Ａのスピーカからの音声出力を停止した場合は、スマートフォン１０Ａは、図４（Ｄ）に示すように、スマートフォン１０Ａは自己のスピーカから音声を出力してもよい。これにより、ユーザは音声を継続して聞くことが可能となる。
【００４９】
また、ワイヤレススピーカ２０Ａのスピーカからの音声出力を停止した場合は、スマートフォン１０Ａは、ワイヤレススピーカ２０Ａよりも近くにある他のワイヤレスデバイス３０を検索し、当該他のワイヤレスデバイス３０とワイヤレス接続して他のワイヤレスデバイス３０のスピーカから音声を出力してもよい。
【００５０】
なお、スマートフォン１０Ａとワイヤレススピーカ２０Ａの距離が閾値Ｎ以上になって、スマートフォン１０Ａが自己のスピーカ又は他のワイヤレスデバイス３０から音声出力を開始した後に、再度、ユーザがワイヤレススピーカ２０Ａに近づいてスマートフォン１０Ａとワイヤレススピーカ２０Ａの距離が閾値Ｎ未満となった場合には、スマートフォン１０Ａのスピーカ又は他のワイヤレスデバイスから音声出力を停止して、再度、ワイヤレススピーカ２０Ａのスピーカから音声出力してもよい。
【００５１】
以上のように構成される第１のワイヤレスデバイス１０において、音声再生手段１１、
距離検出手段１２、調整手段１３、切替手段１４、及び音声出力手段１５は、例えば、ハードウェアやソフトウェア（ＯＳ、ＡＰＩ、サービス、ユーティリティ、ライブラリ、ドライバ、及びアプリケーション等のプログラム）のモジュール、又は、その組み合わせで構成することができる。また、コンピュータがプログラムを実行することにより、音声再生手段１１、距離検出手段１２、調整手段１３、切替手段１４、及び音声出力手段１５の機能を実現することにしてもよい。
【００５２】
また、以上のように構成される第２のワイヤレスデバイス２０において、音声出力手段２１は、例えば、ハードウェアやソフトウェア（ＯＳ、ＡＰＩ、サービス、ユーティリティ、ライブラリ、ドライバ、及びアプリケーション等のプログラム）のモジュール、又は、その組み合わせで構成することができる。また、コンピュータがプログラムを実行することにより、音声再生手段２１の機能を実現することにしてもよい。
【００５３】
以上説明したように、本実施の形態の第１のワイヤレスデバイス１０によれば、所定の通信方式で他のワイヤレスデバイスと通信可能に構成されており、接続されている第２のワイヤレスデバイス２０に音声信号を送信してスピーカ２１ａから出力させる音声再生手段１１と、ワイヤレスデバイス２０との距離を検出する距離検出手段１２と、距離検出手段１２で検出された距離に応じて、スピーカ２１ａから出力される音声の音量を調整する調整手段１３と、を備え、調整手段１３は、検出された距離が閾値より小さい場合は、検出された距離が大きいほど前記音声の音量を大きくし、検出された距離が閾値以上となった場合は、スピーカ２１ａからの音声の出力を停止させることとしたので、ユーザが携帯している第１のワイヤレスデバイス１０から音声を再生して、第２のワイヤレスデバイス２０のスピーカ２１ａから音声を出力する場合に、ユーザの位置に応じて、好適な音量で音声を出力することが可能となる。
【００５４】
付言すると、ユーザが第２のワイヤレスデバイス２０との距離が離れるほど、第２のワイヤレスデバイス２０のスピーカ２１ａの音量レベルを上げることでユーザに取って音声が聞きやすくなり、他方、ユーザが第２のワイヤレスデバイス２０から離れるほど音量を大きくすると、他人にとって迷惑となる場合もあるため、所定の距離離れた場合は、第２のワイヤレスデバイス２０のスピーカ２１ａからの音声出力を停止することで、ユーザの聞きやすさと他人の迷惑の防止を両立させることが可能となる。
【００５５】
また、本実施の形態の第１のワイヤレスデバイス１０は、第２のワイヤレスデバイス２０のスピーカ２１ａからの音声の出力が停止した場合には、切替手段１４が、音声再生手段１１で再生される音声信号の出力先を自己のスピーカ１５ａに切り替えることにしたので、ユーザは、第２のワイヤレスデバイス２０から離れて第２のワイヤレスデバイス２０のスピーカ２１ａからの音声出力が停止した場合でも、第１のワイヤレスデバイス１０のスピーカ１５ａから音声を聞くことが可能となる。
【００５６】
また、本実施の形態の第１のワイヤレスデバイス１０は、切替手段１４が、第２のワイヤレスデバイス２０のスピーカ２１ａからの音声の出力が停止した場合には、第２のワイヤレスデバイス２０よりも近くにある他のワイヤレスデバイスとワイヤレス接続して、音声再生手段１１で再生される音声信号の出力先を他のワイヤレスデバイスのスピーカに切り替えることにしたので、ユーザは、第２のワイヤレスデバイス２０から離れて第２のワイヤレスデバイス２０のスピーカからの音声出力が停止した場合でも、他のワイヤレスデバイスのスピーカから音声を聴くことが可能となる。
【００５７】
また、閾値Ｎは、ユーザ操作に応答して設定可能としたので、住居等のレイアウトに応じて、第２のワイヤレスデバイス２０の音声出力を停止させる適宜な距離を設定することが可能となる。
【００５８】
また、所定の通信方式は、Ｂｌｕｅｔｏｏｔｈ（登録商標）であり、電波強度を検出して、第１のワイヤレスデバイス１０と第２のワイヤレスデバイス間の距離を検出することとしたので、簡単な方法で第１のワイヤレスデバイス１０と第２のワイヤレスデバイス２０間の距離を検出することが可能となる。
【００５９】
また、上記構成例では、第１のワイヤレスデバイス１０が、第２のワイヤレスデバイス２０との距離の検出及び第２のワイヤレスデバイス２０のスピーカ２１ａの音量レベルの設定指示を行っているため、第２のワイヤレスデバイス２０は、特別な機構（アプリを含む）を設ける必要がなく、例えば、通常のｂｌｕｅｔｏｏｔｈ（登録商標）スピーカ等で構成することができる。
【００６０】
なお、図２の構成例では、第１のワイヤレスデバイス１０と第２のワイヤレスデバイス２０間の距離の検出及び第２のワイヤレスデバイス２０のスピーカ２１ａの音量レベルの設定指示を、第１のワイヤレスデバイス１０が行うことにしたが、第２のワイヤレスデバイス２０が、第１のワイヤレスデバイス１０と第２のワイヤレスデバイス２０間の距離の検出及び第２のワイヤレスデバイス２０のスピーカ２１ａの音量レベルの調整を行うことにしてもよい。
【００６１】
図５は、図１の音声出力システム１の他の機能構成例を示す図である。図２では、説明上必要な最小限の構成のみを示している。図５において、図２と同等機能を有する部位には同一符号を付している。図５に示すように、第１のワイヤレスデバイス１０は、ストレージに格納されている又はストリーミングしている音声信号を再生し、ワイヤレス接続されている第２のワイヤレスデバイス２０に音声信号を送信してそのスピーカ２１ａから出力させる音声再生手段１１と、音声再生手段１１で再生される音声信号の出力先を切り替える切替手段１４と、自己のスピーカ１５ａから音声信号を出力させる音声出力手段１５と、を備えている。
【００６２】
第２のワイヤレスデバイス２０は、接続されている第１のワイヤレスデバイス１０から受信した音声信号をスピーカ２１ａから出力する音声出力手段２１と、接続されている第１のワイヤレスデバイス１０との距離Ｓを検出する距離検出手段２２と、距離検出手段２２で検出された距離に応じて、スピーカ２１ａから出力される音声の音量を調整する調整手段２３とを備えている。調整手段２３は、検出された距離Ｓが閾値Ｎより小さい場合は、検出された距離Ｓが大きいほどスピーカ２１ａから出力される音声の音量を大きくし、検出された距離Ｓが閾値以上となった場合は、スピーカ２１ａからの音声の出力を停止する。
【００６３】
図６は、図５の音声出力システム１の動作の概略を説明するためのフローチャートである。図６において、第１のワイヤレスデバイス１０は、第２のワイヤレスデバイス２０とワイヤレス接続する（ステップＳ２１、Ｔ２１）。第１のワイヤレスデバイス１０は、音声再生手段１１が音声信号の再生を開始し（ステップＳ２２）、第２のワイヤレスデバイス２０にワイヤレスで音声信号を送信する（ステップＳ２３）。第２のワイヤレスデバイス２０は、音声信号を受信して（ステップＴ２２）、音声出力手段２１は受信した音声をスピーカ２１ａから出力する（ステップＴ２３）。
【００６４】
次に、第２のワイヤレスデバイス２０の距離検出手段２２は、第１のワイヤレスデバイス１０と第２のワイヤレスデバイス２０間の距離Ｓを検出し（ステップＴ２４）、検出した距離Ｓが、閾値Ｎより小さいか否かを判断する（ステップＴ２５）。
【００６５】
検出した距離Ｓが閾値Ｎより小さい場合（０≦Ｓ＜Ｎ）は（ステップＴ２５の「Ｙｅｓ」）、第２のワイヤレスデバイス２０の調整手段２３は、スピーカ２１ａから出力される音声の音量レベルを距離Ｓが大きくなるほど大きく設定する（ステップＴ２６）。
【００６６】
検出した距離Ｓが閾値Ｎ以上（閾値Ｎ≦Ｓ）は（ステップＴ１５の「Ｎｏ」）、第２のワイヤレスデバイス２０の調整手段２３は、例えば、第１のワイヤレスデバイス１０とのワイヤレス接続を解除して、スピーカ２１ａからの音声の出力を停止させる（ステップＴ２７）。
【００６７】
第１のワイヤレスデバイス１０の切替手段１４は、第２のワイヤレスデバイス２０とのワイヤレス接続が解除された場合には、音声再生手段１１で再生される音声信号の出力先を自己のスピーカ１５ａに切り替えてもよいし、第２のワイヤレスデバイス２０よりも近くにある他のワイヤレスデバイスとワイヤレス接続して、当該他のワイヤレスデバイスのスピーカから音声を出力してもよい（ステップＳ２４）。
【００６８】
なお、上記図１〜図６では、第１のワイヤレスデバイス１０から第２のワイヤレスデバイス２０に音声信号を送信してそのスピーカから出力することとしたが、第２のワイヤレスデバイス２０が第１のワイヤレスデバイス１０に音声信号を送信してそのスピーカから出力させることにしてもよい。この場合、第２のワイヤレスデバイス２０が、図２及び図５で示した、第１のワイヤレスデバイス１０が備える音声再生手段１１、距離検出手段１２，調整手段１３、及び切替手段１４等と同等の機能を備えることにしてもよい。
【００６９】
（実施例）
次に、図７〜図１２を参照して、上記実施の形態の図２に係る第１のワイヤレスデバイス１０及び第２のワイヤレスデバイス２０を、スマートフォン及びワイヤレススピーカに適用した場合の一実施例を説明する。
【００７０】
図７は、実施例に係るワイヤレススピーカの概略の外観構成を示す斜視図である。図７に示すように、ワイヤレススピーカ５０は、略四角柱形状を呈する筐体５１を備えている。筐体５１の内部には、各種電子部品やバッテリ等が搭載されている。筐体５１の正面５１ａにはスピーカ５２が配置されている。また、筐体５１の上面５１ｂには、電源ボタン５３ａ、音量を調整するためのプラスボタン５３ｂ及びマイナスボタン５３ｃ等を含む操作部５３が配置されている。
【００７１】
図８は、図７のワイヤレススピーカ５０の概略のハードウェア構成例を示す図である。図８に示すように、ワイヤレススピーカ５０は、コントローラ５５と、Ｂｌｕｅｔｏｏｔｈ（登録商標）通信部５６と、操作部５３と、信号処理部５７と、オーディオアンプ５８と、及びスピーカ５２等を備えている。
【００７２】
コントローラ５５は、プロセッサとプロセッサを動作させるためのプログラムを格納した記録媒体等を備えたマイコン等で構成されている。コントローラ５５は、ワイヤレススピーカ５０の全体の制御を司り、操作部５３から入力される操作信号やＢｌｕｅｔｏｏｔｈ（登録商標）通信部５６を介して入力されるコントロール信号に基づいて、各部の動作を制御する。例えば、コントローラ５０は、信号処理部５１における信号処理、オーディオアンプ５２の音量レベルの調整（スピーカ５２から出力される音声の音量レベルの調整）、及びＢｌｕｅｔｏｏｔｈ（登録商標）通信部５６の制御などを行う。
【００７３】
信号処理部５１は、コントローラ５５から入力される音声信号に対して、コントローラ５５の制御に従ってＤ／Ａ変換や音質の調整等の各種の信号処理を行う。オーディオアンプ５８は、信号処理部５７から入力される音声信号に対して、コントローラ５５から入力されるボリューム値に応じた増幅率で増幅することにより音量調整し、音量調整後の音声信号をスピーカ５２に出力する。スピーカ５２は、オーディオアンプ５８から入力される音声を外部に出力する。
【００７４】
Ｂｌｕｅｔｏｏｔｈ（登録商標）通信部５６は、コントローラ５５の制御に従い、Ｂｌｕｅｔｏｏｔｈ（登録商標）方式の無線通信を他のＢｌｕｅｔｏｏｔｈ（登録商標）デバイスと行うためのデバイスであり、Ｂｌｕｅｔｏｏｔｈ（登録商標）デバイスの検索、（マルチ）ペアリングの設定／解除、及び接続等を行う。
【００７５】
図９は、本実施例に係るスマートフォンの外観を示す概略の斜視図である。図８に示すように、スマートフォン６０は、略六面体形状の筐体６２を備えている。筐体６２の表面のうち一方側の面を正面６２Ａ、正面６２Ａに対向する他方側の面を背面、筐体６２の表面のうち正面６２Ａと背面に挟まれた面を側面６２Ｂとする。スマートフォン６０は、筐体６２の正面６２Ａに、タッチパネル６３Ａ及び各種アイコンや画像が表示される表示部６３Ｂで構成されるタッチ表示部６３と、レシーバ６７が配置されている。筐体６２の手前側の側面６２Ｂに、マイク６５と、内蔵スピーカ６６とが配置されている。また、右側の側面６２Ｂに、不図示の電源ボタンやボリューム調整ボタン等の操作部が配置されている。
【００７６】
タッチ表示部６３は、アイコン、文字、図形、画像等の情報を表示するとともに、指、スタイラス、ペン等（以下、「指示体」と称する）を用いてタッチパネル６３Ａに対して行われる各種操作を検出する。タッチパネル６３Ａが各種操作を検出する方式は、静電容量式、感圧式等の方式を採用することができる。
【００７７】
図１０は、図９のスマートフォン６０の概略の構成を示すブロック図である。図９に示すように、スマートフォン６０は、制御部７０と、メモリ７１と、記憶部７２と、Ｂｌｕｅｔｏｏｔｈ（登録商標）通信部７５と、通信部７６と、電源部７４と、タッチ表示部６３（タッチパネル６３Ａ、表示部６３Ｂ）と、操作部７３と、マイク６５と、内蔵スピーカ６６等を備えている。
【００７８】
タッチ表示部６３は、表示部６３Ｂと、表示部６３Ｂに重畳されたタッチパネル６３Ａとを有する。タッチパネル６３Ａは、指やペン等の指示体を用いてタッチパネル６３Ａに対して行われた各種操作を、操作が行われた場所のタッチパネル６３Ａ上での位置とともに検出し、制御部７０に通知する。タッチパネル６３Ａによって検出される操作には、タッチ操作、スライド操作、及びピッチ操作が含まれる。表示部６３Ｂは、例えば、液晶ディスプレイ（ＬＣＤ：Liquid  Crystal  Display）や、有機ＥＬ（Organic  Electro−Luminescence）パネルなどで構成され、文字や図形等を表示する。
【００７９】
操作部７３は、電源ボタンやボリューム調整ボタン等を通じて利用者の操作を受け付け、受け付けた操作に対応する指示信号を制御部７０へ送信する。 
【００８０】
電源部７４は、制御部７０の制御に従って、蓄電池又はＡＣアダプタから得られる電力を、制御部７０を含むスマートフォン６０の各部へ供給する。
【００８１】
通信部７６は、基地局によって割り当てられるチャネルを介し、基地局との間で無線信号回線を確立し、基地局との間で電話通信及び情報通信を行う。Ｂｌｕｅｔｏｏｔｈ（登録商標）通信部７５は、Ｂｌｕｅｔｏｏｔｈ（登録商標）方式でＢｌｕｅｔｏｏｔｈ（登録商標）デバイスと近距離無線通信を行う。内蔵スピーカ６６は、制御部７０から送信される音声信号を音声として出力する。マイク６５は、利用者の音声や超音波等を集音して制御部７０へ出力する。
【００８２】
メモリ７１は、例えば、ＲＡＭやＤＲＡＭ等で構成されており、制御部７０によって実行されるプログラム、制御部７０が参照するデータ、制御部７０の演算結果等が一時的に記憶されるワークエリアとして使用される。
【００８３】
記憶部７２は、例えば、不揮発性メモリ（例えば、ＥＥＰＲＯＭ、ＳＳＤ）であり、制御部７０での処理に利用されるプログラムやデータを保存する。記憶部７２に記憶されるプログラムには、Ｂｌｕｅｔｏｏｔｈ（登録商標）通信を含むスマートフォンの基本的な機能を実現するためのＯＳ７２ａ（例えば、ｉＯＳ、Ａｎｄｒｏｉｄ、Ｗｉｎｄｏｗｓ（登録商標））、デバイスをハードウェア制御するためのドライバ７２ｂ、スマートフォン７０とワイヤレススピーカ５０との距離に応じて、ワイヤレススピーカ５０のスピーカ５２の音量レベルを調整するためのスピーカ用アプリ７２ｃ、音声ファイルを再生させるための音声再生アプリ７２ｄ、並びに、電話機能を実現するための電話アプリ、電子メール機能を実現するためのメールアプリ、ＷＥＢブラウジング機能を実現するためのブラウザアプリ、ファイル閲覧用アプリ、及びワープロアプリ等の他のアプリ７２ｅ、及び各種データ等が含まれる。各種アプリとデバイス間の通信にはＯＳ７２ａが介在する。
【００８４】
制御部７０は、例えば、ＣＰＵ（Central  Processing  Unit）、マイクロプロセッサ、ＤＳＰ等であり、スマートフォン５０の動作を統括的に制御して各種の機能（モード）を実現する。具体的には、制御部７０は、記憶部７２に記憶されているデータやメモリ２１に展開したデータを必要に応じて参照しつつ、記憶部７２に記憶されているプログラムに含まれる命令を実行して、タッチ表示部６３、Ｂｌｕｅｔｏｏｔｈ（登録商標）通信部７５，通信部７６等を制御することによって各種機能（モード）を実現する。なお、制御部７０が実行するプログラムや参照するデータは、通信部７３による通信でサーバ装置からダウンロードしたり、アップデートしてもよい。
【００８５】
スピーカ用アプリ７２ｃは、スマートフォン７０とワイヤレススピーカ５０との距離に応じて、ワイヤレススピーカ５０のスピーカ５２の音量レベルを調整するためのアプリであり、その設定画面で、各種設定が可能となっている。
【００８６】
図１１は、スピーカ用アプリ７２ｃの設定画面の一例を説明するための図である。図１１に示す設定画面において、ユーザは、ワイヤレススピーカ５０からの音声出力を停止する場合のワイヤレススピーカ５０との距離Ｓ（閾値Ｎ）を設定可能となっている。同図に示す例では、一例として４．５ｍが設定されている。また、図１１に示す設定画面において、ワイヤレススピーカ５０からの音声出力を停止した後の処理について、ユーザは、音声出力しない第１のモード、自装置のスピーカから音声出力する第２のモード、他のワイヤレスデバイスのスピーカから音声出力する第３のモードのいずれかを設定可能となっている。
【００８７】
図１２は、スマートフォン６０がワイヤレススピーカ５０との距離に応じて、ワイヤレススピーカ５０の音量を調整する処理を説明するためのフローチャートである。図１２において、まず、スマートフォン６０は、ワイヤレススピーカ５０と、互いのＢｌｕｅｔｏｏｔｈ（登録商標）通信部７５，５６を介して、ワイヤレス接続（ペアリング）する（ステップＳ３１、Ｔ３１）。
【００８８】
スマートフォン６０では、音声再生アプリ７２がユーザ操作に応答して、音声信号の再生を開始し（ステップＳ３２）、Ｂｌｕｅｔｏｏｔｈ（登録商標）通信部７５を介して、ワイヤレススピーカ５０に音声信号を送信する（ステップＳ３３）。
【００８９】
ワイヤレススピーカ５０では、Ｂｌｕｅｔｏｏｔｈ（登録商標）通信部５６を介して音声信号を受信し（ステップＴ３２）、コントローラ５５は、受信した音声信号を信号処理部５７及びアンプ５８を介して、スピーカ５２から出力させる（ステップＴ３３）。
【００９０】
次に、スマートフォン６０では、スピーカ用アプリ７２ｃは、Ｂｌｕｅｔｏｏｔｈ（登録商標）通信部７５を介して、スマートフォン６０とワイヤレススピーカ５０間の距離Ｓを検出する（ステップＳ３４）。具体的には、例えば、スピーカ用アプリ７２ｃは、Ｂｌｕｅｔｏｏｔｈ（登録商標）通信部７５から、Ｂｌｕｅｔｏｏｔｈ（登録商標）通信部７５とＢｌｕｅｔｏｏｔｈ（登録商標）通信部５６間の電波のＲＳＳＩ値（電波強度）を取得し、ＲＳＳＩ値と距離との関係を規定するテーブルを参照して、スマートフォン６０とワイヤレススピーカ５０間の距離Ｓを算出（検出）することができる。スピーカ用アプリ７２ｃは、検出した距離Ｓが、閾値Ｎより小さいか否かを判断する（ステップＳ３５）。
【００９１】
検出した距離Ｓが閾値Ｎより小さい場合（０≦Ｓ＜Ｎ）は（ステップＳ３５の「Ｙｅｓ」）、スピーカ用アプリ７２ｃは、ワイヤレススピーカ５０のスピーカ５２から出力される音声の音量レベルを距離が大きくなるほど大きく設定する（ステップＳ３６）。より具体的には、スピーカ用アプリ７２ｃは、Ｂｌｕｅｔｏｏｔｈ（登録商標）通信部７５を介して、ワイヤレススピーカ５０に音量レベルのリモートコントロール信号を送出する。これに応じて、ワイヤレススピーカ５０では、コントローラ５５は、Ｂｌｕｅｔｏｏｔｈ（登録商標）通信部５６を介してリモートコントロール信号を受信すると、リモートコントロール信号に応じて、アンプ５８のゲインを設定する。これにより、スピーカ５２から出力される音声の音量レベルが変更される。
【００９２】
検出した距離Ｓが閾値Ｎ以上の場合（閾値Ｎ≦Ｓ）は（ステップＳ３５の「Ｎｏ」）、スピーカ用アプリ７２ｃは、ワイヤレススピーカ５０のスピーカ５２からの音声の出力を停止させる（ステップＳ３７）。
【００９３】
ワイヤレススピーカ５０のスピーカ５２からの音声の出力を停止させる方法は、例えば、音声再生アプリ７２ｄに再生を（一時）停止させる、ワイヤレススピーカ５０のスピーカ５２から出力される音声の音量レベルをゼロに設定する、ワイヤレススピーカ５０のワイヤレス接続を切断する等がある。
【００９４】
次に、スピーカ用アプリ７２ｃは、設定画面で設定されているモードを判別する（ステップＳ３８）。スピーカ用アプリ７２ｃは、第１のモードが選択されている場合には、音声信号の出力先の切り替えを行わず、音声の出力を停止させた状態とする。また、スピーカ用アプリ７２ｃは、第２のモードが選択されている場合には、音声の出力先を内蔵スピーカ６６に切り替える（ステップＳ３９）。また、スピーカ用アプリ７２ｃは、第３のモードが選択されている場合には、ワイヤレススピーカ５０とのワイヤレス接続を解除して、ワイヤレススピーカ５０よりも近くにある他のワイヤレスデバイスとワイヤレス接続して、当該他のワイヤレスデバイスのスピーカから音声を出力する（ステップＳ４０）。
【００９５】
上記実施例によれば、例えば、スマートフォン６０にスピーカ用アプリ７２ｃをインストールするだけで、ワイヤレススピーカ５０に特別な仕組みを設けなくても、ワイヤレススピーカ５０との距離に応じて、ワイヤレススピーカ５０から出力される音声の音量レベルを調整することが可能となる。
【符号の説明】
【００９６】
１  音声出力システム
１０  第１のワイヤレスデバイス
１１  音声再生手段
１２  距離検出手段
１３  調整手段
１４  切替手段
１５  音声出力手段
１５ａ  スピーカ
２０  第２のワイヤレスデバイス
２１  音声出力手段
２１ａ  スピーカ
２２  距離検出手段
２３調整手段
５０  ワイヤレススピーカ
５１  筐体
５２  スピーカ
５３  操作部
５５  コントローラ
５６  Ｂｌｕｅｔｏｏｔｈ（登録商標）通信部
５７  信号処理部
５８  アンプ
６０  スマートフォン
６２  筐体
６３  タッチ表示部
６３Ａ  タッチパネル
６３Ｂ  表示部
７０  制御部
７１  メモリ
７２  記憶部
７２ａ  ＯＳ
７２ｃ  スピーカ用アプリ
７２ｄ  音声再生アプリ
７３  操作部
７４  電源部
７５  Ｂｌｕｅｔｏｏｔｈ（登録商標）通信部
７６  通信部
【図１】
2018139384.tif 000003
【図２】
2018139384.tif 000004
【図３】
2018139384.tif 000005
【図４】
2018139384.tif 000006
【図５】
2018139384.tif 000007
【図６】
2018139384.tif 000008
【図７】
2018139384.tif 000009
【図８】
2018139384.tif 000010
【図９】
2018139384.tif 000011
【図１０】
2018139384.tif 000012
【図１１】
2018139384.tif 000013
【図１２】
2018139384.tif 000014